(57)【要約】  【解決手段】一組のチャンネルがスキャンされる。前記組内の各チャンネルは第１の帯域幅を有する。前記チャンネル組内の一または複数のチャンネルが他の一または複数の無線通信システムによって使用されていないと決定されると、前記無線通信システムに対する前記一次チャンネルとして使用されていないチャンネルが選択される。前記チャンネル組内の全チャンネルが他の一または複数の無線通信システムによって使用されていると決定されると、（ｉ）前記一次チャンネルとして、別の無線通信システムの一次チャンネルと整列した前記組内のチャンネルが選択され、または（ｉｉ）前記一次チャンネルとして、別の無線通信システムの二次チャンネルと重複する前記組内のチャンネルが選択され、前記別の無線通信システムの前記二次チャンネルは、前記第１の帯域幅よりも大きい帯域幅を有する。  【選択図】図５
2014533049.tif 000002
【特許請求の範囲】
【請求項１】
無線通信システムに対して一次チャンネルを選択する方法であって、
一組のチャンネルをスキャンする段階であって、前記一組のチャンネル内の各チャンネルは第１の帯域幅を有する段階と、
前記一組のチャンネル内の一または複数のチャンネルが他の一または複数の無線通信システムによって使用されていないかどうかを決定する段階と、
前記一組のチャンネル内の一または複数のチャンネルが他の一または複数の無線通信システムによって使用されていないと決定された場合、前記無線通信システムに対する前記一次チャンネルとして、使用されていない前記一または複数のチャンネルから一のチャンネルを選択する段階と、
前記一組のチャンネル内の全チャンネルが他の一または複数の無線通信システムによって使用されていると決定された場合、前記無線通信システムの前記一次チャンネルとして、前記一組のチャンネルのうち、別の無線通信システムの一次チャンネルと整列した一のチャンネルを選択する段階、または、前記無線通信システムの前記一次チャンネルとして、前記一組のチャンネルのうち、別の無線通信システムの二次チャンネルと重複する一のチャンネルを選択する段階であって、前記別の無線通信システムの前記二次チャンネルは、前記第１の帯域幅よりも大きい帯域幅を有する段階と、
を備える方法。
【請求項２】
前記一組のチャンネルから前記一次チャンネルを選択後、前記第１の帯域幅の一部である第２の帯域幅を有する追加一次チャンネルを選択する段階をさらに備え、前記追加一次チャンネルは前記一次チャンネルと重複する追加チャンネル組から選択され、前記追加チャンネル組内の各チャンネルは、前記第２の帯域幅と等しい帯域幅を有する、請求項１に記載の方法。
【請求項３】
前記無線通信システムの前記一次チャンネルとして、前記一組のチャンネルのうち、別の無線通信システムの一次チャンネルと整列した一のチャンネルを選択する段階は、
前記一組のチャンネルのうち、別の無線通信システムの一次チャンネルと重複する一のチャンネルを選択する段階であって、前記別の無線通信システムの前記一次チャンネルは前記第２の帯域幅と等しい帯域幅を有する段階と、
前記追加一次チャンネルが前記別の無線通信システムの前記一次チャンネルと整列するように、前記追加一次チャンネルを選択する段階とを含む、請求項２に記載の方法。
【請求項４】
前記第２の帯域幅は、前記第１の帯域幅の１／２と等しく、
前記追加チャンネル組は２つの非重複チャンネルからなる、
請求項２または３に記載の方法。
【請求項５】
前記第１の帯域幅は２ＭＨｚと等しく、
前記第２の帯域幅は１ＭＨｚと等しい、
請求項２から４のいずれか１項に記載の方法。
【請求項６】
前記無線通信システムの前記一次チャンネルとして、前記一組のチャンネルのうち、別の無線通信システムの二次チャンネルと重複する一のチャンネルを選択する段階は、
前記別の無線通信システムが、異なる帯域幅を有する複数の二次チャンネルを使用しており、前記異なる帯域幅のそれぞれが前記第１の帯域幅よりも大きい場合、最も大きい帯域幅から最も小さい帯域幅への前記別の無線通信システムの前記複数の二次チャンネルの順位に対応した優先順位に従って前記一次チャンネルを選択する段階を含む、
請求項１に記載の方法。
【請求項７】
無線通信を実行する装置であって、
ネットワークインタフェースを備え、前記ネットワークインタフェースは、無線通信システムに対する一次チャンネルを、少なくとも、
一組のチャンネルをスキャンすることであって、前記一組のチャンネル内の各チャンネルは第１の帯域幅を有することと、
前記一組のチャンネル内の一または複数のチャンネルが他の一または複数の無線通信システムによって使用されていないかどうかを決定することと、
前記一組のチャンネル内の一または複数のチャンネルが他の一または複数の無線通信システムによって使用されていないと決定された場合、前記無線通信システムに対する前記一次チャンネルとして、使用されていない前記一または複数のチャンネルから一のチャンネルを選択することと、
前記一組のチャンネル内の全チャンネルが他の一または複数の無線通信システムによって使用されていると決定された場合に、前記無線通信システムの前記一次チャンネルとして、前記一組のチャンネルのうち、別の無線通信システムの一次チャンネルと整列した一のチャンネルを選択すること、または、前記無線通信システムの前記一次チャンネルとして、前記一組のチャンネルのうち、別の無線通信システムの二次チャンネルと重複する一のチャンネルを選択することであって、前記別の無線通信システムの前記二次チャンネルは、前記第１の帯域幅よりも大きい帯域幅を有することと、
によって選択する装置。
【請求項８】
前記ネットワークインタフェースは、前記一組のチャンネルから前記一次チャンネルを選択後、前記第１の帯域幅の一部である第２の帯域幅を有する追加一次チャンネルを選択し、前記追加一次チャンネルは前記一次チャンネルと重複する追加チャンネル組から選択され、前記追加チャンネル組内の各チャンネルは、前記第２の帯域幅と等しい帯域幅を有する、請求項７に記載の装置。
【請求項９】
前記ネットワークインタフェースは、前記無線通信システムの前記一次チャンネルとして、前記一組のチャンネルのうち、別の無線通信システムの一次チャンネルと整列した一のチャンネルを、少なくとも、
前記一組のチャンネルのうち、別の無線通信システムの一次チャンネルと重複する一のチャンネルを選択することであって、前記別の無線通信システムの前記一次チャンネルは前記第２の帯域幅と等しい帯域幅を有することと、
前記追加一次チャンネルが前記別の無線通信システムの前記一次チャンネルと整列するように、前記追加一次チャンネルを選択することと、
によって選択する請求項８に記載の装置。
【請求項１０】
前記第２の帯域幅は、前記第１の帯域幅の１／２と等しく、
前記追加チャンネル組は２つの非重複チャンネルからなる、
請求項８または９に記載の装置。
【請求項１１】
前記第１の帯域幅は２ＭＨｚと等しく、
前記第２の帯域幅は１ＭＨｚと等しい、
請求項８から１０のいずれか１項に記載の装置。
【請求項１２】
前記ネットワークインタフェースは、前記無線通信システムの前記一次チャンネルとして、前記一組のチャンネルのうち、別の無線通信システムの二次チャンネルと重複する一のチャンネルを、少なくとも、
前記別の無線通信システムが、異なる帯域幅を有する複数の二次チャンネルを使用しており、前記異なる帯域幅のそれぞれが前記第１の帯域幅よりも大きい場合、最も大きい帯域幅から最も小さい帯域幅への前記別の無線通信システムの前記複数の二次チャンネルの順位に対応した優先順位に従って前記一次チャンネルを選択することによって選択する請求項７に記載の装置。
【請求項１３】
無線通信システムに対して一次チャンネルを選択する方法であって、
一組のチャンネルをスキャンする段階であって、前記一組のチャンネル内の各チャンネルは第１の帯域幅を有する段階と、
前記一組のチャンネル内の一または複数のチャンネルが他の一または複数の無線通信システムによって使用されていないかどうかを決定する段階と、
前記一組のチャンネル内の一または複数のチャンネルが他の一または複数の無線通信システムによって使用されていないと決定された場合、前記無線通信システムに対する前記一次チャンネルとして、使用されていない前記一または複数のチャンネルから一のチャンネルを選択する段階と、
前記一組のチャンネル内の全チャンネルが他の一または複数の無線通信システムによって使用されていると決定された場合、前記無線通信システムの前記一次チャンネルとして、前記一組のチャンネルのうち、別の無線通信システムの一次チャンネルと整列した一のチャンネルを選択する段階、または、前記無線通信システムの前記一次チャンネルとして、前記一組のチャンネルのうち、別の無線通信システムの二次チャンネルと重複する一のチャンネルを選択する段階であって、前記別の無線通信システムの前記二次チャンネルは、前記第１の帯域幅よりも大きい帯域幅を有する段階と、
を備える方法。
【請求項１４】
前記無線通信システムの前記一次チャンネルとして、前記一組のチャンネルのうち、別の無線通信システムの一次チャンネルと整列した一のチャンネルを選択する段階は、
前記一組のチャンネルのうち、（ｉ）別の無線通信システムの第１の一次チャンネルと重複し、（ｉｉ）前記別の無線通信システムの第２の一次チャンネルと整列した一のチャンネルを選択する段階を含み、
前記別の無線通信システムの前記第１の一次チャンネルは前記第１の帯域幅よりも大きい第２の帯域幅と等しい帯域幅を有し、
前記別の無線通信システムの前記第２の一次チャンネルは前記第１の帯域幅と等しい帯域幅を有する、請求項１３に記載の方法。
【請求項１５】
前記第２の帯域幅は前記第１の帯域幅の２倍に等しく、
前記別の無線通信システムの前記第１の一次チャンネルは、それぞれが前記第１の帯域幅と等しい帯域幅を有する２つの非重複チャンネルからなる
請求項１４に記載の方法。
【請求項１６】
前記第１の帯域幅は１ＭＨｚと等しく、
前記第２の帯域幅は２ＭＨｚと等しい、 
請求項１４または１５に記載の方法。
【請求項１７】
前記無線通信システムの前記一次チャンネルとして、前記一組のチャンネルのうち、別の無線通信システムの二次チャンネルと重複する一のチャンネルを選択する段階は、
前記別の無線通信システムが、異なる帯域幅を有する複数の二次チャンネルを使用しており、前記異なる帯域幅のそれぞれが前記第１の帯域幅よりも大きい場合、最も大きい帯域幅から最も小さい帯域幅への前記別の無線通信システムの前記複数の二次チャンネルの順位に対応した優先順位に従って前記一次チャンネルを選択する段階を含む、
請求項１３に記載の方法。
【請求項１８】
前記一組のチャンネル内の各チャンネルは、前記一組のチャンネル内の少なくとも一つの他のチャンネルと隣接している、請求項１３から１７のいずれか１項に記載の方法。
【請求項１９】
前記一組のチャンネル内の複数のチャンネルは、少なくとも前記第１の帯域幅分、相互に離間して配置されている、請求項１３から１８のいずれか１項に記載の方法。
【請求項２０】
無線通信を実行する装置であって、
ネットワークインタフェースを備え、前記ネットワークインタフェースは、無線通信システムに対する一次チャンネルを、少なくとも、
一組のチャンネルをスキャンすることであって、前記一組のチャンネル内の各チャンネルは第１の帯域幅を有することと、
前記一組のチャンネル内の一または複数のチャンネルが他の一または複数の無線通信システムによって使用されていないかどうかを決定することと、
前記一組のチャンネル内の一または複数のチャンネルが他の一または複数の無線通信システムによって使用されていないと決定された場合、前記無線通信システムに対する前記一次チャンネルとして、使用されていない前記一または複数のチャンネルから一のチャンネルを選択することと、
前記一組のチャンネル内の全チャンネルが他の一または複数の無線通信システムによって使用されていると決定された場合に、前記無線通信システムの前記一次チャンネルとして、前記一組のチャンネルのうち、別の無線通信システムの一次チャンネルと整列した一のチャンネルを選択すること、または、前記無線通信システムの前記一次チャンネルとして、前記一組のチャンネルのうち、別の無線通信システムの二次チャンネルと重複する一のチャンネルを選択することであって、前記別の無線通信システムの前記二次チャンネルは、前記第１の帯域幅よりも大きい帯域幅を有することと、
によって選択する装置。
【請求項２１】
前記ネットワークインタフェースは、前記無線通信システムの前記一次チャンネルとして、前記一組のチャンネルのうち、別の無線通信システムの一次チャンネルと整列した一のチャンネルを、少なくとも、
前記一組のチャンネルのうち、（ｉ）別の無線通信システムの第１の一次チャンネルと重複し、（ｉｉ）前記別の無線通信システムの第２の一次チャンネルと整列した一のチャンネルを選択することによって選択し、
前記別の無線通信システムの前記第１の一次チャンネルは前記第１の帯域幅よりも大きい第２の帯域幅と等しい帯域幅を有し、
前記別の無線通信システムの前記第２の一次チャンネルは前記第１の帯域幅と等しい帯域幅を有する、請求項２０に記載の装置。
【請求項２２】
前記第２の帯域幅は前記第１の帯域幅の２倍に等しく、
前記別の無線通信システムの前記第１の一次チャンネルは、それぞれが前記第１の帯域幅と等しい帯域幅を有する２つの非重複チャンネルからなる
請求項２１に記載の装置。
【請求項２３】
前記第１の帯域幅は１ＭＨｚと等しく、
前記第２の帯域幅は２ＭＨｚと等しい、
請求項２１または２２に記載の装置。
【請求項２４】
前記ネットワークインタフェースは、前記無線通信システムの前記一次チャンネルとして、前記一組のチャンネルのうち、別の無線通信システムの二次チャンネルと重複する一のチャンネルを、少なくとも、
前記別の無線通信システムが、異なる帯域幅を有する複数の二次チャンネルを使用しており、前記異なる帯域幅のそれぞれが前記第１の帯域幅よりも大きい場合、最も大きい帯域幅から最も小さい帯域幅への前記別の無線通信システムの前記複数の二次チャンネルの順位に対応した優先順位に従って前記一次チャンネルを選択することによって選択する請求項２０に記載の装置。
【請求項２５】
前記一組のチャンネル内の各チャンネルは、前記一組のチャンネル内の少なくとも一つの他のチャンネルと隣接している、請求項２０から２４のいずれか１項に記載の装置。
【請求項２６】
前記一組のチャンネル内の複数のチャンネルは、少なくとも前記第１の帯域幅分、相互に離間して配置されている、請求項２０から２５のいずれか１項に記載の装置。
【発明の詳細な説明】
【技術分野】
【０００１】
［関連出願の相互参照］
本開示は、２０１１年１１月２日に提出された米国特許仮出願番号第６１／５５４，８８９からの優先権を主張するものであり、その開示は、本明細書に参照として組み込まれる。
【０００２】
本開示は、一般に通信ネットワークに関し、より詳細にはより広い帯域幅合成チャンネルを形成するためにチャンネル集約を用いる無線ローカルエリアネットワークに関する。
【背景技術】
【０００３】
本背景の記載は、本開示の背景を一般的に提示することを目的としたものである。出願時の先行技術として認定されていない本明細書の態様とともに本発明者の研究内容は、本背景部分に記載されている範囲において、明示的または示唆的に本開示に対する先行技術として認められない。
【０００４】
インフラストラクチャモードで動作している場合、無線ローカルエリアネットワーク（ＷＬＡＮ）は、通常、アクセスポイント（ＡＰ）および一または複数のクライアントステーションを含む。ＷＬＡＮは、過去１０年間にわたり急速に進化してきた。ＩＥＥＥ（Ｉｎｓｔｉｔｕｔｅ ｆｏｒ Ｅｌｅｃｔｒｉｃａｌ ａｎｄ Ｅｌｅｃｔｒｏｎｉｃｓ Ｅｎｇｉｎｅｅｒｓ）８０２．１１ａ、８０２．１１ｂ、８０２．１１ｇ、および８０２．１１ｎ標準などのＷＬＡＮ標準の発展によって、シングルユーザのピークデータスループットが改善された。例えば、ＩＥＥＥ８０２．１１ｂ標準は、シングルユーザピークスループットを毎秒１１メガビット（Ｍｂｐｓ）に規定しており、ＩＥＥＥ８０２．１１ａおよび８０２．１１ｇ標準は、５４Ｍｂｐｓのシングルユーザピークスループットを規定しており、ＩＥＥＥ８０２．１１ｎ標準は、６００Ｍｂｐｓのシングルユーザピークスループットを規定しており、ＩＥＥＥ８０２．１１ａｃ標準は、シングルユーザピークスループットをギガビット毎秒（Ｇｂｐｓ）の範囲内に規定している。
【０００５】
ＩＥＥＥ８０２．１１ａｈおよびＩＥＥＥ８０２．１１ａｆという２つの新たな標準に対する作業が開始された。それらの標準のそれぞれはｓｕｂ−１ＧＨｚ周波数における無線ネットワークの動作を規定するものである。低周波数の通信チャンネルは、高周波での送信と比較すると伝播品質が良好で伝播範囲も拡大されているという特徴を一般に有する。過去において、ｓｕｂ−１ＧＨｚ範囲は無線通信ネットワークに対しては使用されていなかった。これは、そのような周波数は別の用途（例えば使用許諾されたテレビ周波数帯域、無線周波数帯域など）に使用するために確保されていたためである。ｓｕｂ−１ＧＨｚ範囲には、まだ使用許諾されていないままの周波数帯域がいくつか存在し、使用許諾されていない様々な特定の周波数が様々な地域に存在する。ＩＥＥＥ８０２．１１ａｆ標準は、利用可能で使用許諾されていないｓｕｂ−１ＧＨｚ周波数帯域における無線動作を規定している。ＩＥＥＥ８０２．１１ａｆ標準は、テレビホワイトスペース（ＴＶＷＳ）、すなわちｓｕｂ−１ＧＨｚ周波数帯域における未使用のテレビチャンネルにおける無線動作を規定している。
【発明の概要】
【０００６】
一実施形態において、無線通信システムに対して一次通信チャンネルを選択する方法は、一組のチャンネルをスキャンし、前記一組のチャンネル内の各チャンネルは第１の帯域幅を有し、前記一組のチャンネル内の一または複数のチャンネルが他の一または複数の無線通信システムによって使用されていないかを決定することを含む。前記方法はまた、前記一組のチャンネル内の一または複数のチャンネルが他の一または複数の無線通信システムによって使用されていないと決定されると、前記無線通信システムに対する前記一次チャンネルとして、使用されていない前記一または複数のチャンネルから一のチャンネルを選択することを含む。前記方法は、さらに、前記一組のチャンネル内の全チャンネルが他の一または複数の無線通信システムによって使用されていると決定されると、（ｉ）前記無線通信システムの前記一次チャンネルとして、前記一組のチャンネルのうち、別の無線通信システムの一次チャンネルと整列した一のチャンネルを選択し、または（ｉｉ）前記無線通信システムの前記一次チャンネルとして、前記一組のチャンネルのうち、別の無線通信システムの二次チャンネルと重複する一のチャンネルを選択することを含み、前記別の無線通信システムの前記二次チャンネルは、前記第１の帯域幅よりも大きい帯域幅を有する。
【０００７】
他の実施形態において、前記方法は以下の特徴のうちの一または複数を含む。
【０００８】
前記第１の帯域幅は２ＭＨｚと等しい。
【０００９】
前記一組のチャンネルから前記一次チャンネルを選択後、前記第１の帯域幅の一部である第２の帯域幅を有する追加一次チャンネルを選択し、前記追加一次チャンネルは前記一次チャンネルと重複する追加チャンネル組から選択され、前記追加チャンネル組内の各チャンネルは、前記第２の帯域幅と等しい帯域幅を有する。
【００１０】
前記無線通信システムの前記一次チャンネルとして、前記一組のチャンネルのうち、別の無線通信システムの一次チャンネルと整列した一のチャンネルを選択することは、前記一組のチャンネルのうち、別の無線通信システムの一次チャンネルと重複する一のチャンネルを選択することを含み、前記別の無線通信システムの前記一次チャンネルは前記第２の帯域幅と等しい帯域幅を有し、また、前記追加一次チャンネルが前記別の無線通信システムの前記一次チャンネルと整列するように、前記追加一次チャンネルを選択することを含む。
【００１１】
前記第２の帯域幅は、前記第１の帯域幅の１／２と等しく、前記追加チャンネル組は２つの非重複チャンネルからなる。
【００１２】
前記第２の帯域幅は１ＭＨｚと等しい。
【００１３】
前記無線通信システムの前記一次チャンネルとして、前記一組のチャンネルのうち、別の無線通信システムの二次チャンネルと重複する一のチャンネルを選択することは、前記別の無線通信システムが、異なる帯域幅を有する複数の二次チャンネルを使用しており、前記異なる帯域幅のそれぞれが前記第１の帯域幅よりも大きい場合、最も大きい帯域幅から最も小さい帯域幅への前記別の無線通信システムの前記複数の二次チャンネルの順位に対応した優先順位に従って前記一次チャンネルを選択することを含む
【００１４】
別の実施形態において、無線通信を実行する装置はネットワークインタフェースを備える。前記ネットワークインタフェースは、無線通信システムに対する一次通信チャンネルを、少なくとも、一組のチャンネルをスキャンし、前記一組のチャンネル内の各チャンネルは第１の帯域幅を有し、前記一組のチャンネル内の一または複数のチャンネルが他の一または複数の無線通信システムによって使用されていないかを決定し、前記一組のチャンネル内の一または複数のチャンネルが他の一または複数の無線通信システムによって使用されていないと決定されると、前記無線通信システムに対する前記一次チャンネルとして、使用されていない前記一または複数のチャンネルから一のチャンネルを選択し、前記一組のチャンネル内の全チャンネルが他の一または複数の無線通信システムによって使用されていると決定されると、（ｉ）前記無線通信システムの前記一次チャンネルとして、前記一組のチャンネルのうち、別の無線通信システムの一次チャンネルと整列した一のチャンネルを選択し、または（ｉｉ）前記無線通信システムの前記一次チャンネルとして、前記一組のチャンネルのうち、別の無線通信システムの二次チャンネルと重複する一のチャンネルを選択することによって選択するように構成され、前記別の無線通信システムの前記二次チャンネルは、前記第１の帯域幅よりも大きい帯域幅を有する。
【００１５】
他の実施形態において、前記装置は以下の特徴の一または複数を備える。
【００１６】
前記第１の帯域幅は２ＭＨｚと等しい。
【００１７】
前記ネットワークインタフェースは、前記一組のチャンネルから前記一次チャンネルを選択後、前記第１の帯域幅の一部である第２の帯域幅を有する追加一次チャンネルを選択するように構成され、前記追加一次チャンネルは前記一次チャンネルと重複する追加チャンネル組から選択され、前記追加チャンネル組内の各チャンネルは、前記第２の帯域幅と等しい帯域幅を有する。
【００１８】
前記ネットワークインタフェースは、少なくとも、前記一組のチャンネルのうち、別の無線通信システムの一次チャンネルと重複する一のチャンネルを選択し、その場合、前記別の無線通信システムの前記一次チャンネルは前記第２の帯域幅と等しい帯域幅を有し、さらに、前記追加一次チャンネルが前記別の無線通信システムの前記一次チャンネルと整列するように、前記追加一次チャンネルを選択することによって、前記無線通信システムの前記一次チャンネルとして、前記一組のチャンネルのうち、別の無線通信システムの一次チャンネルと整列した一のチャンネルを選択するように構成される。
【００１９】
前記第２の帯域幅は、前記第１の帯域幅の１／２と等しく、
前記追加チャンネル組は２つの非重複チャンネルからなる。
【００２０】
前記第２の帯域幅は１ＭＨｚと等しい。
【００２１】
前記ネットワークインタフェースは、少なくとも、前記別の無線通信システムが異なる帯域幅を有する複数の二次チャンネルを使用しており、前記異なる帯域幅のそれぞれが前記第１の帯域幅よりも大きい場合、最も大きい帯域幅から最も小さい帯域幅への前記別の無線通信システムの前記複数の二次チャンネルの順位に対応した優先順位に従って前記一次チャンネルを選択することによって、前記無線通信システムの前記一次チャンネルとして、前記一組のチャンネルのうち、別の無線通信システムの二次チャンネルと重複する一のチャンネルを選択するように構成される。
【００２２】
さらに別の実施形態において、無線通信システムに対して一次通信チャンネルを選択する方法は、一組のチャンネルをスキャンし、前記一組のチャンネル内の各チャンネルは第１の帯域幅を有し、前記一組のチャンネル内の一または複数のチャンネルが他の一または複数の無線通信システムによって使用されていないかを決定することを含む。また前記方法は、前記一組のチャンネル内の一または複数のチャンネルが他の一または複数の無線通信システムによって使用されていないと決定されると、前記無線通信システムに対する前記一次チャンネルとして、使用されていない前記一または複数のチャンネルから一のチャンネルを選択することを含む。前記方法は、さらに、前記一組のチャンネル内の全チャンネルが他の一または複数の無線通信システムによって使用されていると決定されると、（ｉ）前記無線通信システムの前記一次チャンネルとして、前記一組のチャンネルのうち、別の無線通信システムの一次チャンネルと整列した一のチャンネルを選択し、または（ｉｉ）前記無線通信システムの前記一次チャンネルとして、前記一組のチャンネルのうち、別の無線通信システムの二次チャンネルと重複する一のチャンネルを選択することを含み、前記別の無線通信システムの前記二次チャンネルは、前記第１の帯域幅よりも大きい帯域幅を有する。
【００２３】
他の実施形態において、前記方法は以下の特徴の一または複数を含む。
【００２４】
前記第１の帯域幅は１ＭＨｚと等しい。
【００２５】
前記無線通信システムの前記一次チャンネルとして、前記一組のチャンネルのうち、別の無線通信システムの一次チャンネルと整列した一のチャンネルを選択することは、前記一組のチャンネルのうち、（ｉ）別の無線通信システムの第１の一次チャンネルと重複し、（ｉｉ）前記別の無線通信システムの第２の一次チャンネルと整列した一のチャンネルを選択することを含み、前記別の無線通信システムの前記第１の一次チャンネルは前記第１の帯域幅よりも大きい第２の帯域幅と等しい帯域幅を有し、前記別の無線通信システムの前記第２の一次チャンネルは前記第１の帯域幅と等しい帯域幅を有する。
【００２６】
前記第２の帯域幅は前記第１の帯域幅の２倍に等しく、前記別の無線通信システムの前記第１の一次チャンネルは、それぞれが前記第１の帯域幅と等しい帯域幅を有する２つの非重複チャンネルからなる。
【００２７】
前記第２の帯域幅は２ＭＨｚと等しい。
【００２８】
前記無線通信システムの前記一次チャンネルとして、前記一組のチャンネルのうち、別の無線通信システムの二次チャンネルと重複する一のチャンネルを選択することは、前記別の無線通信システムが、異なる帯域幅を有する複数の二次チャンネルを使用しており、前記異なる帯域幅のそれぞれが前記第１の帯域幅よりも大きい場合、最も大きい帯域幅から最も小さい帯域幅への前記別の無線通信システムの前記複数の二次チャンネルの順位に対応した優先順位に従って前記一次チャンネルを選択することを含む。
【００２９】
前記一組のチャンネル内の各チャンネルは、前記一組のチャンネル内の少なくとも一つの他のチャンネルと隣接している。
【００３０】
前記一組のチャンネル内の複数のチャンネルは、少なくとも前記第１の帯域幅の分だけ相互に離れて配置されている。
【００３１】
さらに他の実施形態において、無線通信を実行する装置は、ネットワークインタフェースを備える。前記ネットワークインタフェースは、無線通信システムに対する一次通信チャンネルを、少なくとも、一組のチャンネルをスキャンし、前記一組のチャンネル内の各チャンネルは第１の帯域幅を有し、前記一組のチャンネル内の一または複数のチャンネルが他の一または複数の無線通信システムによって使用されていないかを決定し、前記一組のチャンネル内の一または複数のチャンネルが他の一または複数の無線通信システムによって使用されていないと決定されると、前記無線通信システムに対する前記一次チャンネルとして、使用されていない前記一または複数のチャンネルから一のチャンネルを選択し、前記一組のチャンネル内の全チャンネルが他の一または複数の無線通信システムによって使用されていると決定されると、（ｉ）前記無線通信システムの前記一次チャンネルとして、前記一組のチャンネルのうち、別の無線通信システムの一次チャンネルと整列した一のチャンネルを選択し、または（ｉｉ）前記無線通信システムの前記一次チャンネルとして、前記一組のチャンネルのうち、別の無線通信システムの二次チャンネルと重複する一のチャンネルを選択することによって選択するように構成され、前記別の無線通信システムの前記二次チャンネルは、前記第１の帯域幅よりも大きい帯域幅を有する。
【００３２】
他の実施形態において、前記装置は以下の特徴の一または複数を含む。
【００３３】
前記第１の帯域幅は１ＭＨｚと等しい。
【００３４】
前記ネットワークインタフェースは、少なくとも、前記一組のチャンネルのうち、（ｉ）別の無線通信システムの第１の一次チャンネルと重複し、（ｉｉ）前記別の無線通信システムの第２の一次チャンネルと整列した一のチャンネルを選択することによって、前記無線通信システムの前記一次チャンネルとして、前記一組のチャンネルのうち、別の無線通信システムの一次チャンネルと整列した一のチャンネルを選択するように構成され、前記別の無線通信システムの前記第１の一次チャンネルは前記第１の帯域幅よりも大きい第２の帯域幅と等しい帯域幅を有し、前記別の無線通信システムの前記第２の一次チャンネルは前記第１の帯域幅と等しい帯域幅を有する。
【００３５】
前記第２の帯域幅は前記第１の帯域幅の２倍に等しく、前記別の無線通信システムの前記第１の一次チャンネルは、それぞれが前記第１の帯域幅と等しい帯域幅を有する２つの非重複チャンネルからなる。
【００３６】
前記第２の帯域幅は２ＭＨｚと等しい。
【００３７】
前記ネットワークインタフェースは、少なくとも、前記別の無線通信システムが、異なる帯域幅を有する複数の二次チャンネルを使用しており、前記異なる帯域幅のそれぞれが前記第１の帯域幅よりも大きい場合、最も大きい帯域幅から最も小さい帯域幅への前記別の無線通信システムの前記複数の二次チャンネルの順位に対応した優先順位に従って前記一次チャンネルを選択することによって、前記無線通信システムの前記一次チャンネルとして、前記一組のチャンネルのうち、別の無線通信システムの二次チャンネルと重複する一のチャンネルを選択するように構成される。
【００３８】
前記一組のチャンネル内の各チャンネルは、前記一組のチャンネル内の少なくとも一つの他のチャンネルと隣接している。
【００３９】
前記一組のチャンネル内の複数のチャンネルは、少なくとも前記第１の帯域幅の分だけ相互に離れて配置されている。
【図面の簡単な説明】
【００４０】
【図１】一実施形態による、本明細書に開示される技術を用いた無線ローカルエリアネットワーク（ＷＬＡＮ）例のブロック図である。
【００４１】
【図２】一実施形態による、チャンネル化スキームの一例の図である。
【００４２】
【図３】一実施形態による、干渉信号が停止した後に発生する一次チャンネル上での送信の図である。
【００４３】
【図４】一実施形態による、干渉信号が停止した後に発生する合成チャンネル上での送信の図である。
【００４４】
【図５】一実施形態による、一次チャンネルを選択する方法例のフロー図である。
【００４５】
【図６】一実施形態による、チャンネル化スキームの別の例の図である。
【００４６】
【図７】一実施形態による、一次チャンネルを選択する方法の別の例のフロー図である。
【００４７】
【図８】一実施形態による、一次チャンネルを選択する方法の別の例のフロー図である。
【発明を実施するための形態】
【００４８】
以下で説明する実施形態において、無線ローカルエリアネットワーク（ＷＬＡＮ）のアクセスポイント（ＡＰ）などの無線ネットワーク装置は、一または複数のクライアントステーションに対してデータストリームを送信する。ＡＰは、少なくとも第１の通信プロトコルに従ってクライアントステーションと連動するように構成される。第１の通信プロトコルは、ｓｕｂ−１ＧＨｚ周波数範囲における動作を規定し、典型的に、比較的低データ転送速度での長距離無線通信を必要とする用途に使用される。本明細書において、第１の通信プロトコル（例えばＩＥＥＥ８０２．１１ａｈ標準）は「長距離」通信プロトコルと呼ばれる。
【００４９】
いくつかの実施形態において、長距離通信プロトコルは、使用可能な一組のチャンネルを規定し、アクセスポイント（ＡＰ）は、ＡＰによる使用が可能な未使用のチャンネルを発見するために、チャンネルをスキャンする。いくつかの実施形態において、チャンネル組内の各チャンネルは１ＭＨｚの帯域幅を有する。他の実施形態において、チャンネル組内の各チャンネルは２ＭＨｚの帯域幅を有する。チャンネル組内の各チャンネルが２ＭＨｚの帯域幅を有するいくつかの実施形態において、チャンネルの第１の部分を狭帯域幅チャンネルとして使用でき、チャンネルの第２の部分を未使用のままとすることができる。例えば、チャンネル組内の各チャンネルが２ＭＨｚの帯域幅を有するいくつかの実施形態において、チャンネルの第１の１ＭＨｚ幅の部分は狭帯域幅チャンネルとして使用でき、チャンネルの第２の１ＭＨｚ幅の部分は未使用のままとすることができる。他の実施形態において、チャンネル組内の各チャンネルは、１ＭＨｚまたは２ＭＨｚ以外の適した帯域幅を有する。
【００５０】
いくつかの実施形態において、長距離通信プロトコルは、各ステーションに対して複数のチャンネルを広帯域幅の合成チャンネルに集約することを許可する。例えば、チャンネル組内の各チャンネルが２ＭＨｚの帯域幅を有するいくつかの実施形態において、４ＭＨｚ帯域幅を有する合成チャンネルを使用できる。チャンネル組内の各チャンネルが２ＭＨｚの帯域幅を有するいくつかの実施形態において、（ｉ）８ＭＨｚの帯域幅を有する合成チャンネル、または（ｉｉ）１６ＭＨｚの帯域幅を有する合成チャンネル、の一方または両方が使用可能である。チャンネル組内の各チャンネルが１ＭＨｚの帯域幅を有するいくつかの実施形態において、２ＭＨｚの帯域幅を有する合成チャンネルを使用可能である。チャンネル組内の各チャンネルが１ＭＨｚの帯域幅を有するいくつかの実施形態において、（ｉ）４ＭＨｚの帯域幅を有する合成チャンネル、（ｉｉ）８ＭＨｚの帯域幅を有する合成チャンネル、または（ｉｉｉ）１６ＭＨｚの帯域幅を有する合成チャンネルのうちの一または複数を使用可能である。
【００５１】
図１は一実施形態による、一例の無線ローカルエリアネットワーク（ＷＬＡＮ）１０のブロック図である。ＡＰ１４は、ネットワークインタフェース１６に接続されたホストプロセッサ１５を含む。ネットワークインタフェース１６は、媒体アクセス制御（ＭＡＣ）処理部１８と物理層（ＰＨＹ）処理部２０とを含む。ＰＨＹ処理部２０は、複数の送受信機２１を含み、送受信機２１は複数のアンテナ２４に接続される。３つの送受信機２１および３つのアンテナ２４を図１に示すが、他の実施形態において、ＡＰ１４は異なる数（例えば１、２、４、５等）の送受信機２１およびアンテナ２４を含んでもよい。
【００５２】
ＷＬＡＮ１０は、さらに、複数のクライアントステーション２５を含む。４つのクライアントステーション２５を図１に示すが、ＷＬＡＮ１０は、様々な場合および実施形態において、異なる数（例えば１、２、３、５、６等）のクライアントステーション２５を含んでもよい。クライアントステーション２５の少なくとも一つ（例えばクライアントステーション２５−１）は、少なくとも長距離通信プロトコルに従って動作するように構成される。
【００５３】
クライアントステーション２５−１は、ネットワークインタフェース２７に接続されたホストプロセッサ２６を含む。ネットワークインタフェース２７は、ＭＡＣ処理部２８およびＰＨＹ処理部２９を含む。ＰＨＹ処理部２９は複数の送受信機３０を含み、送受信機３０は複数のアンテナ３４に接続される。３つの送受信機３０および３つのアンテナ３４を図１に示すが、他の実施形態において、クライアントステーション２５−１は、異なる数（例えば１、２、４、５等）の送受信機３０およびアンテナ３４を含んでもよい。
【００５４】
いくつかの実施形態において、クライアントステーション２５−２、２５−３および２５−４のうちの一つ、いくつか、またはすべてはクライアントステーション２５−１と同一または類似の構造を有する。そのような実施形態において、クライアントステーション２５−１と同一または類似した構造を有するクライアントステーション２５は同数または異なる数の送受信機およびアンテナを有する。例えば、一実施形態によれば、クライアントステーション２５−２は、２つの送受信機および２つのアンテナ（不図示）のみを有する。
【００５５】
様々な実施形態において、ＡＰ１４のＰＨＹ処理部２０は、長距離通信プロトコルに準拠するデータユニットを作成するように構成される。送受信機２１は、作成されたデータユニットを、アンテナ２４を介して送信するように構成される。同様に、送受信機２１は、データユニットをアンテナ２４を介して受信するように構成される。様々な実施形態によれば、ＡＰ１４のＰＨＹ処理部２０は、さらに、長距離通信プロトコルに準拠する受信したデータユニットを処理するように構成される。
【００５６】
様々な実施形態において、クライアントステーション２５−１のＰＨＹ処理部２９は、長距離通信プロトコルに準拠するデータユニットを作成するように構成される。送受信機３０は、作成されたデータユニットを、アンテナ３４を介して送信するように構成される。同様に、送受信機３０は、データユニットをアンテナ３４を介して受信するように構成される。クライアントステーション２５−１のＰＨＹ処理部２９は、さらに、長距離通信プロトコルに準拠する受信したデータユニットを処理するように構成される。
【００５７】
図２は、一実施形態による、長距離通信プロトコルによって規定されたチャンネル化スキーム１００の図である。例示を目的として、図１のＷＬＡＮ１０を参照して図２を説明する。ただし、いくつかの実施形態において、チャンネル化スキーム１００は、他の適切なネットワークとともに使用される。
【００５８】
チャンネル化スキーム１００は、ｓｕｂ−１ＧＨｚ帯域（例えば、９０２ＭＨｚと９２８ＭＨｚの間または他の適切な帯域）において、複数の単位チャンネル１０４（例えば、１３チャンネルまたは他の適切な数のチャンネル）を規定する。チャンネル化スキーム１００は、例えば米国における使用に適する。その他の国々においては、他の同様の適したチャンネル化スキームが使用され、いくつかの実施形態によれば、異なる適切な帯域内等に異なる適切な数のチャンネルを有する。
【００５９】
複数の単位チャンネル１０４は隣接していて重複しておらず、一実施形態において、各単位チャンネル１０４は２ＭＨｚの帯域幅を有する。ＡＰ１４（例えば、ネットワークインタフェース１６）は、例えば、少なくとも一部が通信を行っている単位チャンネル１０４などの使用中の単位チャンネル１０４を決定するために、複数の単位チャンネル１０４をスキャンするように構成される。ＡＰ１４（例えば、ネットワークインタフェース１６）は、複数の単位チャンネル１０４のスキャンに基づいて、ＡＰ１４に対する一次チャンネルとして単位チャンネル１０４の一つを選択するように構成される。
【００６０】
いくつかの実施形態において、一次チャンネルを選択後、ＡＰ１４（例えばネットワークインタフェース１６）および／またはクライアントステーション２５（例えばネットワークインタフェース２７）は、少なくともある状況において選択された一次チャンネルの一部でのみ動作するように構成される。例えば、ＡＰ１４（例えばネットワークインタフェース１６）および／またはクライアントステーション２５（例えばネットワークインタフェース２７）は、少なくともある状況において、一次チャンネルに重複する複数の副単位チャンネル１０８のうちの一つで動作するように構成される。一実施形態において、各副単位チャンネル１０８は１ＭＨｚの帯域幅を有する。一実施形態において、各副単位チャンネル１０８の（周波数における）下端は、副単位チャンネル１０８が重複するチャンネル１０４の（周波数における）下端と整列されている。別の実施形態において、各副単位チャンネル１０８の（周波数における）上端は、副単位チャンネル１０８が重複するチャンネル１０４の（周波数における）上端と整列されている。一実施形態において、ＡＰ１４は、チャンネル条件に基づいて、一次チャンネルの上端と整列した上端を有する副単位チャンネル、または一次チャンネルの下端と整列した下端を有する副単位チャンネルを選択するように構成される。
【００６１】
いくつかの実施形態において、一次チャンネル選択後、ＡＰ１４（例えばネットワークインタフェース１６）および／またはクライアントステーション２５（例えばネットワークインタフェース２７）は、複数の単位チャンネル１０４を合成チャンネルに集約するように構成される。例えば、一実施形態において、２つの単位チャンネル１０４は４ＭＨｚ幅の合成チャンネル１１２を形成するように集約されてもよい。一実施形態において、複数の合成チャンネル１１２は隣接しており、重複していない。一実施形態において、複数の合成チャンネル１１２の（周波数における）上端は、複数の単位チャンネル１０４の（周波数における）上端と整列されている。別の実施形態において、複数の合成チャンネル１１２の（周波数における）下端は、複数の単位チャンネル１０４の（周波数における）下端と整列されている。
【００６２】
一実施形態において、４つの一次チャンネル１０４を８ＭＨｚ幅の合成チャンネル１１６を形成するように集約されてもよい。一実施形態において、複数の合成チャンネル１１６は、隣接しており重複していない。一実施形態において、複数の合成チャンネル１１６の（周波数における）上端は、複数の単位チャンネル１０４の（周波数における）上端と整列されている。別の実施形態において、複数の合成チャンネル１１６の（周波数における）下端は、複数の単位チャンネル１０４の（周波数における）下端と整列されている。
【００６３】
一実施形態において、１６ＭＨｚ幅の合成チャンネル１２０を形成するために、８つの一次チャンネル１０４を集約してもよい。複数の合成チャンネル１１２が単位チャンネル１０４の帯域内に収まることが可能な場合、一実施形態において複数の合成チャンネル１１２が隣接しており重複していない。一実施形態において、合成チャンネル１２０の（周波数における）上端は、複数の単位チャンネル１０４の（周波数における）上端と整列されている。別の実施形態において合成チャンネル１２０の（周波数における）下端は、複数の単位チャンネル１０４の（周波数における）下端と整列されている。
【００６４】
いくつかの実施形態において、少なくとも可能性において利用可能な副単位チャンネルおよび合成チャンネルは、一次チャンネルの選択によって決定される。例えば、単位チャンネル１３０が一次チャンネルとして選択される場合、副単位チャンネル１０８のうちの副単位チャンネル１３４のみが一次チャンネル１３０と周波数において重複しているため、副単位チャンネル１３４が利用可能である。同様に、単位チャンネル１３０が一次チャンネルとして選択される場合、合成チャンネル１１２、１１６および１２０のうちで合成チャンネル１２０、１３８および１４２のみが一次チャンネル１３０と重複するため、合成チャンネル１２０、１３８および１４２が可能性として利用可能である。
【００６５】
合成チャンネル１１２は、４ＭＨｚの一次チャンネル１１２と呼ばれる場合がある。同様に、合成チャンネル１１６は、８ＭＨｚの一次チャンネル１１６と呼ばれる場合がある。同様に、合成チャンネル１２０は、１６ＭＨｚの一次チャンネル１２０と呼ばれる場合がある。合成チャンネルは、より小さい一次チャンネルと、より小さい一次チャンネルに隣接した二次チャンネルとを含む２つのより小さいチャンネルから形成されると言える。例えば、一次チャンネル１３８は、２ＭＨｚの一次チャンネル１３０と２ＭＨｚの二次チャンネル１４４とから形成される。別の例として、一次チャンネル１４２は、４ＭＨｚの一次チャンネル１３８と４ＭＨｚの二次チャンネル１４６とから形成される。別の例として、一次チャンネル１２０は８ＭＨｚの一次チャンネル１４２と８ＭＨｚの二次チャンネル１４８とから形成される。
【００６６】
図３は、一実施形態による、図２を参照して上述したようなチャンネル化スキームを用いる通信システムにおける送信例の図解１５０である。図２に示す例において、送信信号１５４は一次チャンネルを介して送信される。送信信号１５４は、ＡＰ１４（図１）などのＡＰまたはクライアントステーション２５−１（図１）などのクライアント装置によって作成され、送信される。
【００６７】
干渉信号１５８は一次チャンネルに存在する。干渉信号１５８は、別の通信システムの送信信号に対応し、例えば、いくつかの状況において、送信信号１５４が対応するＢＳＳ（基本サービスセット）とは異なるＢＳＳなどの場合がある。一例として、干渉信号１５８は別の通信システムのＡＰによって送信されるか、もしくは別の通信システムのＡＰに対して送信される。
【００６８】
いくつかの実施形態において、一次チャンネルにおける送信信号１５４は、一次チャンネルがアイドル状態であると決定されると許可される。チャンネルがアイドル状態かの決定には、いくつかの実施形態において、少なくとも特定の期間チャンネルがアイドル状態かを決定することを含む。いくつかの実施形態において、特定の期間は、チャンネルの種類によって決まる。
【００６９】
少なくとも期間１６２の間一次チャンネルがアイドル状態であるか、さらに図３に示す例において、少なくとも期間１６２の間一次チャンネルがアイドル状態だったかを決定する。
【００７０】
いくつかの実施形態および／または状況において、期間１６２は、ａｒｂｉｔｒａｔｉｏｎ ｉｎｔｅｒｆｒａｍｅ ｓｐａｃｅ（ＡＩＦＳ）、ｐｏｉｎｔ ｃｏｏｒｄｉｎａｔｉｏｎ ｆｕｎｃｔｉｏｎ （ＰＣＦ） ｉｎｔｅｒｆｒａｍｅ ｓｐａｃｅ（ＰＩＦＳ）、またはＩＥＥＥ８０２．１１標準に記載のｄｉｓｔｒｉｂｕｔｅｄ ｃｏｏｒｄｉｎａｔｉｏｎ ｆｕｎｃｔｉｏｎ （ＤＣＦ） ｉｎｔｅｒｆｒａｍｅ ｓｐａｃｅ（ＤＩＦＳ）などの規定されたおよび／または決定された適切な固定期間であるか、もしくはそれに基づく。例えば、一実施形態において、期間１６２は、（ｉ）固定期間および（ｉｉ）バックオフ期間などの適切な追加の期間の和として決定される。一実施形態において、バックオフ期間は、ＩＥＥＥ８０２．１１標準に記載されるようなランダムに作成される期間である。一実施形態において、固定期間はＡＩＦＳである。本明細書で使用されるように、「ランダムに作成される期間」という表現は、擬似的にランダムに作成される期間を含む。
【００７１】
一実施形態において、一次チャンネルがアイドル状態かの決定は、一次チャンネルにおける信号レベル（一次信号レベル）の決定と、一次信号レベルと閾値との比較とを含む。そのため、一実施形態において、一次信号レベルは適切な信号計測技術を用いて計測される。一実施形態において、一次チャンネルにおけるエネルギレベルは、少なくとも一次チャンネルの信号をデコードできない状況において計測される。別の例として、一次チャンネルにおける信号が有効信号であると決定できる状況において、信号のレベルは、一実施形態において、少なくとも信号のプリアンブルまたは信号の他の適切な部分に対して計測される。一実施形態において、一次チャンネルにおける信号が有効信号と決定できる場合に、２つの一次信号レベル計測値が作成される。
【００７２】
一実施形態において、一次チャンネルがアイドル状態かの決定は、一次チャンネルに有効信号が存在するかの決定を含む。例えば、長距離通信プロトコルまたは短距離通信プロトコル（例えば、ＩＥＥＥ８０２．１１ａ標準、ＩＥＥＥ８０２．１１ｇ標準、ＩＥＥＥ８０２．１１ｎ標準、ＩＥＥＥ８０２．１１ａｃ標準など）に準拠した信号が一次チャンネルに存在するかを決定してもよい。一次チャンネルに有効信号が存在するかを決定するための適切な技術が使用される。
【００７３】
いくつかの実施形態において、一次チャンネルがアイドル状態かの決定は、計測された一次信号レベルと、一次チャンネルに有効信号が存在するかの決定とに基づく。一実施形態において、一次信号レベル計測値は、第１の閾値と比較され、一次チャンネルがアイドル状態かの決定はその比較結果に基づく。例えば、一次信号レベル計測値が第１の閾値を満たす（例えば、上回る）場合、一次チャンネルはアイドル状態ではない（すなわち、使用中）であると決定される。一実施形態において、少なくとも一次チャンネルにおいて有効信号が存在すると決定された場合、一次チャンネルがアイドル状態かの決定は、一次信号レベル計測値と第２の閾値との比較と、その比較結果に基づく一次チャンネルがアイドル状態かの決定とを含む。例えば、一次チャンネルにおいて有効信号が存在する場合、かつ、一次信号レベル計測値が第２の閾値を満たす（例えば、上回る）場合、一次チャンネルは使用中である（すなわち、アイドル状態でない）と決定される。一実施形態において、第２の閾値は、第１の閾値以下である。
【００７４】
いくつかの状況において、ｉ）一次信号レベル計測値と第１の閾値との比較およびｉｉ）一次信号レベル計測値と第２の閾値との比較の両方が実行されるわけではない。例えば、一実施形態において、一次チャンネルにおいて有効信号が検出されない場合、一次信号レベル計測値と第２の閾値との比較は実行されない。別の例として、一実施形態において、一次信号レベル計測値と第１の閾値との比較の結果一次チャンネルが使用中であると決定されると、一次信号レベル計測値と第２の閾値との比較は実行されない。同様に、別の例として、一実施形態において、一次信号レベル計測値と第２の閾値との比較の結果、一次チャンネルが使用中であると決定されると、一次信号レベル計測値と第１の閾値との比較は実行されない。
【００７５】
図２を参照して上述したように、いくつかの実施形態において、副単位チャンネル１０８における送信が許可されている。いくつかの実施形態において、対応する一次チャンネル１０４（すなわち、副単位チャンネル１０８が一次チャンネル１０４と重複している）がアイドル状態であると決定されると、副単位チャンネル１０８における送信が可能となる。
【００７６】
あるステーションが一次チャンネルを含む合成チャンネルを介して送信を行おうとした場合、そのステーションは、まず合成チャンネルで使用される一次チャンネルおよび二次チャンネルがアイドル状態であるかを決定する。図４は、一実施形態による、図２に関連して上述したようなチャンネル化スキームを用いた通信システムにおける送信例の図解１７０である。図３に示す例において、送信信号１７４は合成チャンネルを介して送信される。送信信号１７４はＡＰ１４（図１）などのＡＰまたはクライアントステーション２５−１（図１）などのクライアント装置によって生成され、送信される。
【００７７】
干渉信号１７８は合成チャンネルに存在する。いくつかの状況において、干渉信号１７８は、例えば、送信信号１７４が対応するＢＳＳとは異なるＢＳＳなどの一または複数の他の通信システムの送信信号に対応する。一例として、干渉信号１７８は、一または複数の他の通信システムの一または複数のＡＰによって送信される信号、または一または複数の他の通信システムの一または複数のＡＰへ送信される信号である。
【００７８】
いくつかの実施形態において、合成チャンネルにおける送信信号１７４は、合成チャンネルで使用される一次チャンネルおよび二次チャンネルがアイドル状態であると決定された場合に許可される。チャンネルがアイドル状態かの決定には、いくつかの実施形態において、少なくとも特定の期間、そのチャンネルがアイドル状態かの決定を含む。いくつかの実施形態において、その特定の期間はチャンネルの種類によって決まる。例えば一実施形態においては、少なくとも期間１６２（図３を参照して上述）において一次チャンネルがアイドル状態であるかが決定される一方、少なくとも期間１８２において二次チャンネルがアイドル状態かが決定される。期間１８２は、例えばＡＩＦＳ、ＰＩＦＳ、ＤＩＦＳ等の上述したような適切な固定期間である。一実施形態において、期間１８２はＰＩＦＳであり、期間１６２は、ＡＩＦＳに上述したようなランダムに生成されたバックオフ期間を加えたものである。いくつかの実施形態において、チャンネルがアイドル状態であるかの決定は、上述したアイドル状態検出技術のうちの一または複数を用いることを含む。一実施形態において、二次チャンネルがアイドル状態かの決定は、さらに、または代替的に、適切なミッドパケット（ｍｉｄ−ｐａｃｋｅｔ）検出技術を用いることを含む。一実施形態において、二次チャンネルがアイドル状態かの決定は、二次チャンネルにおける１ＭＨｚの送信を適切な信号強度で検出可能な適切な技術を用いることを含む。
【００７９】
図５は、無線通信ネットワークに対する一次チャンネルを選択する例示の方法３００のフロー図である。一実施形態において、方法３００は図２を参照して上述したようなチャンネル化スキームとともに用いられる。方法３００は、例示を目的として、図２を参照して説明する。他の実施形態において、方法３００は別の適切なチャンネル化スキームとともに使用される。一実施形態において、図１のＡＰ１４のネットワークインタフェース１６は、方法３００を実装するように構成される。他の実施形態において、方法３００は別の適切な通信装置によって実装される。
【００８０】
ブロック３０４において、一組の単位チャンネルは、もしアイドル状態の単位チャンネルがあれば、どの単位チャンネルがアイドル状態であるかを決定するためにスキャンされる。例えば、例示のチャンネル化スキーム１００において、単位チャンネル１０４がスキャンされる。ブロック３０８において、ブロック３０４で実行したスキャンに基づいて、既存のＢＳＳによって使用されているチャンネルと重複していない単位チャンネルが存在するかが決定される。図２において、例えば、既存のＢＳＳが合成チャンネル１２０を使用しているため、一組の単位チャンネル３１２がアイドル状態でないが、単位チャンネルの組３１６はアイドル状態であり既存のＢＳＳと重複していないと決定される。
【００８１】
ブロック３０８において、既存のＢＳＳと重複していない単位チャンネルがあると決定された場合、ブロック３２０に進む。ブロック３２０において、既存のＢＳＳと重複していない単位チャンネルの一つが一次チャンネルとして選択される。
【００８２】
一方、ブロック３０８において、既存のＢＳＳと重複していない単位チャンネルがないと決定された場合、ブロック３２４に進む。例えば、合成チャンネル１２０、単位チャンネル３２８、および合成チャンネル３３２（一次チャンネル３３６を有する）が既存のＢＳＳによって使用されていると決定された場合、既存のＢＳＳと重複していない単位チャンネル１０４はない。
【００８３】
一実施形態によると、ブロック３２４において、（ａ）選択された単位チャンネルが既存のＢＳＳの一次チャンネルと整列するように、または（ｂ）選択された単位チャンネルが（ｉ）既存のＢＳＳの１ＭＨｚ幅または２ＭＨｚ幅の一次チャンネルのいずれとも重複しておらず、かつ（ｉｉ）最も大きい帯域幅から最も小さい帯域幅への既存のＢＳＳの二次チャンネルの順序に対応する優先順位において既存のＢＳＳの二次チャンネルと重複するように選択されるように、一つの単位チャンネルが一次チャンネルとして選択される。例えば、単位チャンネル３２８、合成チャンネル３３２、および合成チャンネル１２０が既存のＢＳＳによってすべて使用されている場合、既存のＢＳＳと重複していない単位チャンネル１０４はない。したがって、ある状況において、選択された単位チャンネルが既存のＢＳＳの一次チャンネル１３０と整列するように、単位チャンネルが新規のＢＳＳの一次チャンネルとして選択される。別の状況において、単位チャンネル３４０、３４４、３４８、３５２、３５６、３５８および１４４のうちの一つが、新規のＢＳＳの一次チャンネルとして選択される。図２に示す例における選択の優先順位は、（ｉ）８ＭＨｚの二次チャンネル１４８（例えば、単位チャンネル３４０、３４４、３４８、および３５２のうちの一つ）との重複、（ｉｉ）４ＭＨｚの二次チャンネル１４６（例えば、単位チャンネル３５６および３５８のうちの一つ）との重複、および（ｉｉｉ）２ＭＨｚの二次チャンネル１４４との重複である。
【００８４】
一実施形態において、上記（ｂ）に従って一次チャンネルが選択されると、重複する既存のＢＳＳの合成チャンネル数が最小限に抑えられるように単位チャンネルが選択される。それによって、一実施形態および上述した例示の状況において、単位チャンネル３４０、３４４、３４８および３５２のうちの一つが新規のＢＳＳの一次チャンネルとして選択される。すなわち、単位チャンネル３５６が合成チャンネル１２０および合成チャンネル１４２の両方と重複するが、一方で単位チャンネル３４０、３４４、３４８および３５２は合成チャンネル１２０とのみ重複するため、単位チャンネル３５６は選択されない。
【００８５】
図６は、一実施形態による、長距離通信プロトコルによって規定されたチャンネル化スキーム４００の図である。例示を目的として、図１のＷＬＡＮ１０を参照して、図４を説明する。ただし、いくつかの実施形態において、チャンネル化スキーム４００は他の適切なネットワークとともに使用される。
【００８６】
チャンネル化スキーム４００は、複数の単位チャンネル４０４（例えば、８チャンネルまたは別の適切な数のチャンネル）をｓｕｂ−１ＧＨｚ帯域（例えば、７７９ＭＨｚと７８７ＭＨｚとの間または他の適切な帯域）に定義する。チャンネル化スキーム４００は、例えば中国での使用に適する。他の国々では、いくつかの実施形態によれば、異なる適切な数のチャンネルを異なる適切な帯域に有するなど、同様の適した他のチャンネル化スキームが使用される。
【００８７】
複数の単位チャンネル４０４は隣接しており重複しておらず、一実施形態において、各単位チャンネル４０４は１ＭＨｚの帯域幅を有する。ＡＰ１４（例えばネットワークインタフェース１６）は、複数の単位チャンネル４０４をスキャンして、例えば、少なくとも一部に通信が存在する単位チャンネル４０４などの、使用中の単位チャンネル４０４を決定するように構成される。ＡＰ１４（例えばネットワークインタフェース１６）は、複数の単位チャンネル４０４のスキャンに基づいて、ＡＰ１４に対する一次チャンネルとして、単位チャンネル４０４の一つを選択するように構成される。
【００８８】
いくつかの実施形態において、一次チャンネルの選択後、ＡＰ１４（例えばネットワークインタフェース１６）および／またはクライアントステーション２５（例えばネットワークインタフェース２７）は、複数の単位チャンネル４０４を合成チャンネルに集約するように構成される。例えば、一実施形態において、２つの単位チャンネル４０４が２ＭＨｚ幅の合成チャンネル４０８を形成するために集約してもよい。一実施形態において、複数の合成チャンネル４０８は隣接しており重複していない。一実施形態において、複数の合成チャンネル４０８の（周波数における）上端は、複数の単位チャンネル４０４の（周波数における）上端と整列されている。別の実施形態において、複数の合成チャンネル４０８の（周波数における）下端は、複数の単位チャンネル４０８の（周波数における）下端と整列されている。一実施形態において、複数の合成チャンネル４０８の（周波数における）上端は、複数の単位チャンネル４０４の（周波数における）上端と整列され、複数の合成チャンネル４０８の（周波数における）下端は、複数の単位チャンネル４０４の（周波数における）下端と整列されている。
【００８９】
一実施形態において、４つの単位チャンネル４０４は、４ＭＨｚ幅の合成チャンネル４１２を形成するために集約できる。一実施形態において、複数の合成チャンネル１１２は隣接しており重複していない。一実施形態において、複数の合成チャンネル４１２の（周波数における）上端は、複数の単位チャンネル４０４の（周波数における）上端と整列されている。別の実施形態において、複数の合成チャンネル４１２の（周波数における）下端は、複数の単位チャンネル４０４の（周波数における）下端と整列されている。一実施形態において、複数の合成チャンネル４１２の（周波数における）上端は、複数の単位チャンネル４０４の（周波数における）上端と整列され、複数の合成チャンネル４１２の（周波数における）下端は、複数の単位チャンネル４０４の（周波数における）下端と整列されている。
【００９０】
一実施形態において、８つの一次チャンネル４０４は、一または複数の８ＭＨｚ幅の合成チャンネル４１６を形成するように集約できる。図６のチャンネル化の例では、８ＭＨｚ幅の合成チャンネル４１６が一つだけ可能であるが、より多くの単位チャンネル４０４（例えば、１６または１６よりも多い）を有する他の実施形態において、複数の８ＭＨｚ幅の合成チャンネル４１６が利用可能である。一実施形態において、一または複数の合成チャンネル４１６は、隣接しており重複していない。一実施形態において、一または複数の合成チャンネル４１６の（周波数における）上端は、複数の単位チャンネル１０４の（周波数における）上端と整列されている。別の実施形態において、一または複数の合成チャンネル１１６の（周波数における）下端は、複数の単位チャンネル１０４の（周波数における）下端と整列されている。一実施形態において、一または複数の合成チャンネル４１６の（周波数における）上端は、複数の単位チャンネル４０４の（周波数における）上端と整列されており、一または複数の合成チャンネル４１６の（周波数における）下端は、複数の単位チャンネル４０４の（周波数における）下端と整列されている。
【００９１】
一実施形態において、１６の一次チャンネル１０４は、１６ＭＨｚ幅の合成チャンネル（不図示）を形成するように集約できる。例えば、より多くの単位チャンネル４０４（例えば、１６または１６よりも多い）を有する他の実施形態において、一または複数の１６ＭＨｚ幅の合成チャンネルが利用可能である。複数の１６ＭＨｚ幅の合成チャンネルは、単位チャンネル４０４の帯域内に収まることが可能であれば、一実施形態において、複数の１６ＭＨｚ幅の合成チャンネルは隣接しており重複していない。一実施形態において、１６ＭＨｚ幅の合成チャンネルの（周波数における）上端は、複数の単位チャンネル４０４の（周波数における）上端と整列されている。別の実施形態において、１６ＭＨｚ幅の合成チャンネルの（周波数における）下端は、複数の単位チャンネル４０４の（周波数における）下端と整列されている。一実施形態において、一または複数の１６ＭＨｚ幅の合成チャンネルの（周波数における）上端は、複数の単位チャンネル４０４の（周波数における）上端と整列され、一または複数の１６ＭＨｚ幅の合成チャンネルの（周波数における）下端は、複数の単位チャンネル４０４の（周波数における）下端と整列されている。
【００９２】
合成チャンネル４０８は、２ＭＨｚの一次チャンネル４０８と呼ばれる場合がある。同様に、合成チャンネル４１２は、４ＭＨｚの一次チャンネル４１２と呼ばれる場合がある。同様に、合成チャンネル４１６は８ＭＨｚの一次チャンネル４１６と呼ばれる場合がある。合成チャンネルは、より小さい一次チャンネルと、より小さい一次チャンネルに隣接する二次チャンネルとを含む２つのより小さいチャンネルから形成されていると言うことができる。例えば、２ＭＨｚの一次チャンネル４３０は、１ＭＨｚの一次チャンネル４３４と１ＭＨｚの二次チャンネル４３８とから形成される。別の例として、４ＭＨｚの一次チャンネル４４２は、２ＭＨｚの一次チャンネル４３０と２ＭＨｚの二次チャンネル４４６とから形成される。別の例として、８ＭＨｚの一次チャンネル４５０は、４ＭＨｚの一次チャンネル４４２と４ＭＨｚの二次チャンネル４５４とから形成される。
【００９３】
図７は、無線通信ネットワークに対する一次チャンネルを選択する例示の方法５００のフロー図である。一実施形態において、方法５００は、図６を参照して上述したようなチャンネル化スキームとともに使用される。方法５００を、例示を目的として、図６を参照して説明する。他の実施形態において、方法５００は別の適したチャンネル化スキームとともに使用される。一実施形態において、図１のＡＰ１４のネットワークインタフェース１６は、方法５００を実装するように構成される。他の実施形態において、方法５００は別の適切な通信装置によって実装される。
【００９４】
ブロック５０４において、新規のＢＳＳが１ＭＨｚ幅のチャンネルを使用するかを決定する。新規のＢＳＳが１ＭＨｚ幅のチャンネルを使用する場合、ブロック５０８に進む。一方新規のＢＳＳが１ＭＨｚよりも大きい帯域幅のチャンネルを使用する場合、ブロック５１２に進む。いくつかの実施形態において、ブロック５０４は省略される。例えば、通信装置（例えばＡＰ１４のネットワークインタフェース１６）は、１ＭＨｚ幅のチャンネルのみを使用するように構成される場合、一実施形態によれば、本方法をブロック５０８から開始する。同様に、通信装置（例えばＡＰ１４のネットワークインタフェース１６）が１ＭＨｚよりも大きな帯域幅を有するチャンネルのみを使用するように構成される場合、本方法をブロック５１２から開始する。
【００９５】
ブロック５０８において、他のＢＳＳの一次チャンネルにすでになっているチャンネルがあれば、それを決定するために、一組の１ＭＨｚ幅のチャンネルがスキャンされる。例えば、チャンネル化スキーム４００の例では、単位チャンネル４０４がスキャンされる。
【００９６】
一実施形態によれば、ブロック５１６において、（ａ）選択された単位チャンネルが、（ｉ）既存の１ＭＨｚ幅のＢＳＳの１ＭＨｚ幅の一次チャンネルと整列するように、または（ｉｉ）２ＭＨｚより大きいか等しい幅の既存のＢＳＳの２ＭＨｚ幅の一次チャンネルのＴＸ対応の１ＭＨｚ幅のチャンネルと整列するように、（ｂ）選択された単位チャンネルが、既存のＢＳＳの一次または二次チャンネルのいずれとも重複しないように、または（ｃ）選択された単位チャンネルが、最も大きい帯域幅から最も小さい帯域幅へのＢＳＳの二次チャンネルの順序に対応する優先順位で既存のＢＳＳの二次チャンネルと重複するように選択されるように、１ＭＨｚ幅の単位チャンネルの一つが一次チャンネルとして選択される。
【００９７】
上述したように、新規のＢＳＳが１ＭＨｚよりも大きい帯域幅を有するチャンネルを使用する場合、ブロック５１２に進む。ブロック５１２において、もしあればどの単位チャンネルがアイドル状態かを決定するために、一組の２ＭＨｚ幅のチャンネルがスキャンされる。例えば、チャンネル化スキーム４００の例において、単位チャンネル４０８がスキャンされる。
【００９８】
ブロック５２０において、ブロック５１２で実行されたスキャンに基づいて、既存のＢＳＳと重複しない２ＭＨｚ幅のチャンネルがあるかが決定される。
【００９９】
既存のＢＳＳと重複しない２ＭＨｚ幅のチャンネルがあるとブロック５２０で決定された場合、ブロック５２４に進む。ブロック５２４において、既存のＢＳＳと重複しない２ＭＨｚ幅のチャンネルのうちの一つが、２ＭＨｚ幅の一次チャンネルとして選択される。さらに、１ＭＨｚの一次チャンネル（または１ＭＨｚのＴＸ対応チャンネル）として、１ＭＨｚ幅のチャンネルが選択される。一実施形態において、２ＭＨｚ幅の一次チャンネルの上側１ＭＨｚ幅の部分または２ＭＨｚ幅の一次チャンネルの下側１ＭＨｚ幅の部分のいずれかとして、１ＭＨｚ幅のチャンネルが選択される。
【０１００】
一方、既存のＢＳＳと重複しない２ＭＨｚ幅のチャンネルがないとブロック５２０において決定された場合、ブロック５２８に進む。
【０１０１】
一実施形態によると、ブロック５２８において、（ａ）選択された２ＭＨｚ幅のチャンネルが、（ｉ）２ＭＨｚより大きいか等しい帯域幅を有する既存のＢＳＳの２ＭＨｚの一次チャンネルと整列するように、または（ｉｉ）既存の１ＭＨｚのＢＳＳの１ＭＨｚの一次チャンネルと重複する選択された２ＭＨｚの一次チャンネルの１ＭＨｚのＴＸ対応チャンネルと整列するように、または（ｂ）選択された２ＭＨｚ幅のチャンネルが、最も大きい帯域幅から最も小さい帯域幅への既存のＢＳＳの二次チャンネルの順序に対応する優先順位において既存のＢＳＳの二次チャンネルと重複するように選択されるように、一つの２ＭＨｚ幅のチャンネルが一次チャンネルとして選択される。一実施形態において、選択された２ＭＨｚ幅の一次チャンネルが１ＭＨｚのＴＸ−対応チャンネルを有する場合、可能であれば、２ＭＨｚ幅の一次チャンネルを選択することによって、結果的に１ＭＨｚ幅のＢＳＳの１ＭＨｚの一次チャンネルに隣接する１ＭＨｚのＴＸ対応チャンネルとなるような選択を回避する。さらに、１ＭＨｚ幅のチャンネルは、１ＭＨｚの一次チャンネル（または１ＭＨｚのＴＸ対応チャンネル）として選択される。一実施形態において、２ＭＨｚ幅の一次チャンネルの上側１ＭＨｚ幅の部分または２ＭＨｚ幅の一次チャンネルの下側１ＭＨｚ幅の部分のいずれかとして、１ＭＨｚ幅のチャンネルが選択される。一実施形態において、選択された２ＭＨｚ幅のチャンネルが既存のＢＳＳの一次チャンネルと整列する場合、１ＭＨｚ幅のチャンネルが、既存のＢＳＳの１ＭＨｚ幅の一次チャンネルと整列するように選択される。
【０１０２】
一実施形態において、上記（ｂ）に従って一次チャンネルが選択されると、重複する既存のＢＳＳの合成チャンネル数が最小限に抑えられるように２ＭＨｚ幅のチャンネルが選択される。
【０１０３】
図８は、無線通信ネットワークの一次チャンネルを選択する例示の方法６００のフロー図である。一実施形態において、方法６００は、図６を参照して説明するようなチャンネル化スキームとともに使用される。例示を目的として、図６を参照して方法６００を説明する。他の実施形態において、方法６００は別の適したチャンネル化スキームとともに使用される。一実施形態において、図１のＡＰ１４のネットワークインタフェース１６は、方法６００を実装するように構成される。他の実施形態において、方法６００は、別の適切な通信装置によって実装される。
【０１０４】
図８は、図７と同様の符号を付したブロックを含み、そのような同様の符号を付したブロックの説明を省略する。
【０１０５】
ブロック６０４において、新規のＢＳＳが２ＭＨｚより大きな帯域幅を有するチャンネルを使用するかが決定される。新規のＢＳＳが１ＭＨｚ幅の、または２ＭＨｚ幅のチャンネルを使用する場合、ブロック５０８に進む。一方、新規のＢＳＳが２ＭＨｚよりも大きい帯域幅を有するチャンネルを使用する場合、ブロック５１２に進む。いくつかの実施形態において、ブロック６０４は省略される。例えば、通信装置（例えばＡＰ１４のネットワークインタフェース１６）が１ＭＨｚ幅の、および／または２ＭＨｚ幅のチャンネルのみを使用するように構成される場合、一実施形態によれば、本方法はブロック５０８から開始される。同様に、通信装置（例えばＡＰ１４のネットワークインタフェース１６）が２ＭＨｚよりも大きな帯域幅を有するチャンネルのみを使用するように構成される場合、本方法はブロック５１２から開始される。
【０１０６】
上述した様々なブロック、動作、および技術の少なくともいくつかはハードウェア、ファームウェア命令を実行するプロセッサ、ソフトウェア命令を実行するプロセッサ、またはそのいずれかの組み合わせを用いて実行可能である。ソフトウェアまたはファームウェア命令を実行するプロセッサを用いて実行される場合、ソフトウェアまたはファームウェア命令は、磁気ディスク、光ディスク、ＲＡＭ、ＲＯＭ、フラッシュメモリ等の有形の非一時的なコンピュータ読取可能メモリに格納されてもよい。ソフトウェアまたはファームウェア命令は、プロセッサによって実行されると、プロセッサに、様々な動作を実行させる機械可読な命令を含んでもよい。
【０１０７】
ハードウェアにおいて実行される場合、そのハードウェアは個別部品、集積回路、特定用途集積回路（ＡＳＩＣ）、プログラミング可能な論理装置等のうちの一または複数を含んでもよい。
【０１０８】
本発明を特定の例を参照して説明してきたが、それらの例は例示目的であげられたに過ぎず、本発明を限定しないことを意図しており、開示された実施形態は特許請求の範囲を逸脱せずに変更、追加および／または削除を行うことが可能である。
【図１】
2014533049.tif 000003
【図２】
2014533049.tif 000004
【図３】
2014533049.tif 000005
【図４】
2014533049.tif 000006
【図５】
2014533049.tif 000007
【図６】
2014533049.tif 000008
【図７】
2014533049.tif 000009
【図８】
2014533049.tif 000010
【国際調査報告】
2014533049.tif 000011
2014533049.tif 000012
2014533049.tif 000013